(57)【要約】【課題】  取付けスペースを確保することなく、安定した逆流防止機能を備えた電磁弁マニホールドの逆流防止装置を提供する。【解決手段】  電磁弁２の動作により給気ポート３と出力ポート４とを連通する動作と、出力ポート４と排気ポート５とを連通する動作とを切換可能とし、排気ポート５から出力ポート４への排気圧の逆流を防止する逆流防止装置を備えた電磁弁マニホールドにおいて、電磁弁２とマニホールドブロック１との接合部に設けられる弁座部に当接して、排気ポート５から出力ポート４への排気圧の逆流を防止するリード片１７と、リード片１７を弁座部に密接させるための付勢力を該リード片１７自身に発生させる付勢力発生手段とを備えた。【選択図】      図２
2006097784.tif 000002
【特許請求の範囲】
【請求項１】
出力ポートと排気ポートとの間に、前記出力ポートからの排気圧を前記排気ポートに排出し、前記排気ポートの排気圧の前記出力ポートへの逆流を防止する逆流防止装置を備えた空気圧制御装置において、
前記逆流防止装置は、
前記出力ポートと排気ポートとの間に介在される弁座部と、
前記弁座部に当接して前記排気圧の逆流を阻止するリード片と、
前記リード片を前記弁座部に密接させるための付勢力を該リード片自身に発生させる付勢力発生手段と
を備えたことを特徴とする空気圧制御装置。
【請求項２】
電磁弁にマニホールドブロックを接合し、前記マニホールドブロックに給気ポートと、出力ポートと、排気ポートとを備え、前記電磁弁の動作により前記給気ポートと出力ポートとを連通する動作と、前記出力ポートと排気ポートとを連通する動作とを切換可能とし、前記排気ポートから出力ポートへの排気圧の逆流を防止する逆流防止装置を備えた電磁弁マニホールドにおいて、
前記逆流防止装置は、
前記電磁弁とマニホールドブロックとの接合面に設けられる弁座部に当接して、前記排気ポートから出力ポートへの排気圧の逆流を防止するリード片と、
前記リード片を前記弁座部に密接させるための付勢力を該リード片自身に発生させる付勢力発生手段と
を備えたことを特徴とする電磁弁マニホールド。
【請求項３】
前記リード片は、前記電磁弁とマニホールドブロックの接合面に介在されるガスケットに一体に設けたことを特徴とする請求項２記載の電磁弁マニホールド。
【請求項４】
前記付勢力発生手段は、前記リード片に反発作用による付勢力を発生させるように該リード片を押圧する斜面を前記弁座部に形成したことを特徴とする請求項１又は２記載の電磁弁マニホールド。
【請求項５】
前記弁座部を前記電磁弁に設け、前記マニホールドブロックには前記リード片の基端部を前記斜面に押圧する突部を設けたことを特徴とする請求項４記載の電磁弁マニホールド。
【発明の詳細な説明】
【技術分野】
【０００１】
この発明は、電磁弁マニホールドの逆流防止装置に関するものである。
【背景技術】
【０００２】
電磁弁マニホールドの一種類として、給気ポートと出力ポート及び排気ポートを備え、電磁弁の開閉動作により、給気ポートに供給される正圧空気を出力ポートからエアシリンダー等の空気圧機器に供給し、あるいは空気圧機器から出力ポートに排出される排圧を排気ポートから排出するものがある。
【０００３】
このような電磁弁マニホールドは、複数の空気圧機器を並行して駆動するために、共通のブロックに複数の出力ポート及び排気ポートが設けられ、各排気ポートは共通の排気孔に連通している。そして、各空気圧機器に対し給気動作及び排気動作が並行して行われる。従って、いずれかの空気圧機器から排気ポートに排出された排気圧の出力ポートへの逆流を防止するために、逆流防止装置が必要である。
【０００４】
特許文献１には、ポペット弁を使用した逆流防止装置が開示され、特許文献２，３には、リード弁を使用した逆流防止装置が開示されている。
【特許文献１】実開平７−３８８３１号公報
【特許文献２】実開昭５９−１０８８７２号公報
【特許文献３】実開平３−４４２８０号公報
【発明の開示】
【発明が解決しようとする課題】
【０００５】
特許文献１に記載された逆流防止装置では、ポペット弁を使用するため、マニホールドブロックにポペット弁を収容するスペースを確保する必要がある。従って、電磁弁マニホールドが大型化し、小型の電磁弁マニホールドではこの構成を採用することができないという問題点がある。
【０００６】
特許文献２，３に記載された逆流防止装置では、リード弁を使用するため、構成が簡素で大きな取付けスペースを確保する必要がない。しかし、弁体自体にシール方向の付勢力を備えていないため、排気ポート側からの圧力が弱い場合には、確実にシールすることができない。従って、逆流防止機能が不安定である。
【０００７】
また、特許文献３に記載された逆流防止装置では、弁座とリード弁とが同一材質で一体に形成されているので、排気圧が強い場合には、弁座が撓んでしまうため、逆流防止機能が不安定である。
【０００８】
この発明の目的は、取付けスペースを確保することなく、安定した逆流防止機能を備えた電磁弁マニホールドの逆流防止装置を提供することにある。
【課題を解決するための手段】
【０００９】
上記目的は、出力ポートと排気ポートとの間に、前記出力ポートからの排気圧を前記排気ポートに排出し、前記排気ポートの排気圧の前記出力ポートへの逆流を防止する逆流防止装置を備えた空気圧制御装置において、前記逆流防止装置に、前記出力ポートと排気ポートとの間に介在される弁座部と、前記弁座部に当接して前記排気圧の逆流を阻止するリード片と、前記リード片を前記弁座部に密接させるための付勢力を該リード片自身に発生させる付勢力発生手段とを備えることにより達成される。
【００１０】
また、上記目的は、電磁弁にマニホールドブロックを接合し、前記マニホールドブロックに給気ポートと、出力ポートと、排気ポートとを備え、前記電磁弁の動作により前記給気ポートと出力ポートとを連通する動作と、前記出力ポートと排気ポートとを連通する動作とを切換可能とし、前記排気ポートから出力ポートへの排気圧の逆流を防止する逆流防止装置を備えた電磁弁マニホールドにおいて、前記逆流防止装置に、前記電磁弁とマニホールドブロックとの接合部に設けられる弁座部に当接して、前記排気ポートから出力ポートへの排気圧の逆流を防止するリード片と、前記リード片を前記弁座部に密接させるための付勢力を該リード片自身に発生させる付勢力発生手段とを備えることにより達成される。
【発明の効果】
【００１１】
本発明によれば、取付けスペースを確保することなく、安定した逆流防止機能を備えた電磁弁マニホールドの逆流防止装置を提供することができる。
【発明を実施するための最良の形態】
【００１２】
以下、本発明を具体化した電磁弁マニホールドの一実施の形態を図面に従って説明する。図１に示す電磁弁マニホールドは、マニホールドブロック１に電磁弁２が取着される。マニホールドブロック１には給気ポート３と、出力ポート４と、排気ポート５が開口される。
【００１３】
前記給気ポート３には、配管を介して正圧供給源から正圧空気が供給され、前記出力ポート４は配管を介してエアシリンダー等の空気圧機器に接続される。前記排気ポート５には、排気用配管が接続される。
【００１４】
前記マニホールドブロック１には、前記出力ポート４及び排気ポート５が複数並設され、複数の空気圧機器を並行して駆動可能となっている。そして、各排気ポート５はマニホールドブロック１内で互いに連通している。
【００１５】
前記電磁弁２には、前記給気ポート３に連通する第一の連通孔６と、前記出力ポート４に連通する第二の連通孔７と、前記排気ポート５に連通する第三の連通孔８が設けられている。
【００１６】
そして、ソレノイドコイル９への通電により移動するプランジャー１０の動作により、弁体１１が僅かに移動し、その弁体１１の動作により第一の連通孔６と第二の連通孔７が連通し、第三の連通孔８を封止する状態と、第二及び第三の連通孔７，８が連通し、第一の連通孔６を封止する状態とのいずれかが選択される。
【００１７】
すなわち、ソレノイドコイル９が励磁されると、プランジャー１０が図１において左方へ移動し、コイルスプリング１２の付勢力により弁体１１が同方向へ僅かに移動する。すると、第一の連通孔６と第二の連通孔７とが連通されるとともに、第三の連通孔８と第一及び第二の連通孔６，７との連通は遮断される。この結果、給気ポート３と出力ポート４とが連通し、排気ポート５は給気ポート３及び出力ポート４に対し遮断される状態となる。
【００１８】
従って、この状態では給気ポート３に供給される正圧空気が出力ポート４から空気圧機器に供給される。
また、ソレノイドコイル９が励磁されない状態では、コイルスプリング１３の付勢力によりプランジャー１０が弁体１１を図１において右方へ押圧する状態となって、第一の連通孔６が封止され、第二の連通孔７と第三の連通孔８とが連通する状態となる。
【００１９】
従って、この状態では出力ポート４と排気ポート５とが連通されて、空気圧機器から出力ポート４に排出される排気圧が排気ポート５に排出される。
前記マニホールドブロック１と電磁弁２との接合面には、合成ゴムで形成されたガスケット１４が介在されて、その接合面からの空気漏れを防止している。
【００２０】
前記ガスケット１４は、図３に示すように、前記第一〜第三の連通孔６，７，８にそれぞれ連通する３つの透孔１５ａ〜１５ｃを備えた環状部材として形成され、図２に示すように、電磁弁２の接合面において、前記第一〜第三の連通孔６，７，８の周囲に形成された嵌合溝１６に嵌合される。
【００２１】
前記ガスケット１４には、前記透孔１５ｃの中央部を覆うようにリード片１７がガスケットの１４の外周部に沿って延設され、図２及び図４に示すように、前記電磁弁２の接合面において、前記第三の連通孔８の開口部の周囲には、前記リード片１７を収容する弁座部１８が形成されている。そして、ガスケット１４を前記嵌合溝１６に嵌合すると、リード片１７は弁座部１８内に収容されて、第三の連通孔８を覆うようになっている。
【００２２】
前記弁座部１８の前記リード片１７との当接面は、該リード片１７の延設方向とは異なる斜面、すなわち図４においてはリード片１７の先端を下方に押し下げる斜面（付勢力発生手段）として形成されている。従って、ガスケット１４を嵌合溝１６に嵌合すると、リード片１７は斜面によりその先端部が下方へ押し下げられるため、その反発作用による付勢力によりリード片１７が斜面に密着するようになっている。
【００２３】
前記マニホールドブロック１の電磁弁２との接合面において、前記排気ポート５の開口部の一側には、前記リード片１７の基端部を前記斜面に押圧する突部２０が形成されている。そして、マニホールドブロック１と電磁弁２とを接合した状態では、突部２０がリード片１７の基端部を押圧して、リード片１７を弁座部１８に密着させることにより、リード片１７に前記付勢力を確実に発生させるようになっている。
【００２４】
このようなリード片１７及び弁座部１８により排気圧の出力ポート４への逆流を防止する逆流防止装置が構成される。なお、マニホールドブロック１の接合面に開口する排気ポート５の径は、第三の連通孔８より大きく形成されて、リード片１７の開閉動作に支障を来たさないようにしている。
【００２５】
次に、上記のように構成された逆流防止装置の動作を説明する。電磁弁２が励磁されないとき、すなわち第二の連通孔７と第三の連通孔８とが連通する状態において、出力ポート４に空気圧機器から排気が排出されると、図５に示すように、その排気圧によりリード片１７が下方へ押し下げられて、排気ポート５に排出される。
【００２６】
また、電磁弁２が励磁されないとき、すなわち第二の連通孔７と第三の連通孔８とが連通する状態において、他の空気圧機器から排気ポートに排出された排気が第三の連通孔８に逆流しようとすると、その排気圧によりリード片１７が弁座部１８に圧接される。従って、排気ポート５から出力ポート４への排気の逆流が阻止される。
【００２７】
上記のように構成された電磁弁マニホールドの逆流防止装置では、次に示す作用効果を得ることができる。
（１）出力ポート４と排気ポート５が連通する状態では、排気ポート５から出力ポートへの排気圧の逆流を防止することができる。
（２）出力ポート４と排気ポート５が連通する状態では、出力ポート４に接続された空気圧機器の排気圧を排気ポート５に排出することができる。
（３）リード片１７をガスケット１４に設けて、第三の連通孔８と排気ポート５とを封止可能としたので、逆流防止装置を取り付けるためのスペースを確保する必要がない。従って、電磁弁マニホールドの小型化に支障を来たすことはない。
（４）弁座部１８を斜面として、リード片１７の先端部を押圧することにより、リード片１７に付勢力を発生させて、リード片１７を弁座部１８に圧着する構成としたので、排気ポート５と第三の連通孔８とを封止する場合には、排気ポート５と第三の連通孔８の気圧差が小さい場合にも、確実に封止することができる。
（５）マニホールドブロック１の突部２０により、リード片１７の基端部を弁座部１８に押圧することができるので、リード片１７を斜面に確実に当接させて、リード片１７に反発力を確実に発生させることができる。
（６）弁座部１８は、電磁弁２のブロックに形成されるので、排気圧により撓むことはない。従って、排気圧が高くなっても、リード片１７を弁座部１８に密接させて逆流を安定して阻止することができる。
（７）電磁弁２の嵌合溝１６にガスケット１４を嵌合した状態で、電磁弁２とマニホールドブロック１とを接合することにより、上記逆流防止装置を容易に構成することができる。
【００２８】
上記実施の形態は、以下の態様で実施してもよい。
・リード片の先端が弁座部に向かって斜状に突出するようにガスケットを成形し、そのリード片を弁座部に当接させることにより、リード片を弁座部に押圧する反発力を発生させるようにしてもよい。
・リード片はガスケットと別体としてもよい。すなわち、ガスケットの内側において、第三の連通孔の周囲に嵌合溝を設け、その嵌合溝に嵌合される環状部材に上記のようなリード片を一体に設けるようにしてもよい。
【図面の簡単な説明】
【００２９】
【図１】一実施の形態の電磁弁マニホールドを示す断面図である。
【図２】電磁弁マニホールドを示す分解断面図である。
【図３】ガスケットを示す斜視図である。
【図４】逆流防止装置を示す断面図である。
【図５】逆流防止装置を示す断面図である。
【符号の説明】
【００３０】
１        マニホールドブロック
２        電磁弁
３        給気ポート
４        出力ポート
５        排気ポート
１４      ガスケット
１７      リード片
１８      弁座部
１９      付勢力発生手段（斜面）
２０      付勢力発生手段（突部）
【図１】
2006097784.tif 000003
【図２】
2006097784.tif 000004
【図３】
2006097784.tif 000005
【図４】
2006097784.tif 000006
【図５】
2006097784.tif 000007